【手続補正書】
【提出日】平成21年5月20日(2009.5.20)
【手続補正１】
【補正対象書類名】特許請求の範囲
【補正対象項目名】請求項１
【補正方法】変更
【補正の内容】
【請求項１】
各々が識別可能な複数種類の図柄が配置された表示帯をステッピングモータの駆動により回動させることで変動表示可能な複数の可変表示領域のそれぞれに表示結果を導出表示させることが可能な可変表示装置を備え、
遊技用価値を用いて１ゲームに対して所定数の賭数を設定することによりゲームが開始可能となるとともに、前記複数の可変表示領域の全てに表示結果が導出表示されたことにより１ゲームが終了し、前記複数の可変表示領域に導出表示された表示結果の組み合わせに応じて入賞が発生可能とされたスロットマシンであって、
前記複数の可変表示領域の表示結果を導出させる際に操作されるそれぞれの導出操作手段と、
少なくともいずれか１つの可変表示領域の表示結果が導出される前に入賞の発生を許容するか否かを決定する事前決定手段と、
前記導出操作手段が操作されたときに、該導出操作手段の操作に対応する可変表示領域の表示結果を導出させる制御を行う導出制御手段と、
を備え、
前記導出制御手段は、
前記複数の可変表示領域のうちいずれか１つの可変表示領域に既に表示結果が導出されており、他の可変表示領域に未だ表示結果が導出されていない状況において、未だ表示結果が導出されていない可変表示領域について、該可変表示領域に対応する導出操作手段が操作された時点の前記ステッピングモータのステップ数である未導出ステップ数に対して導出される表示結果を一意に特定する複数の制御パターンから、前記事前決定手段の決定結果、及び既に表示結果が導出された可変表示領域に対応する前記導出操作手段が操作された時点の前記ステッピングモータのステップ数である既導出ステップ数に対応する制御パターンを一意に選択する制御パターン選択手段を含み、
未だ表示結果が導出されていない可変表示領域に対応する導出操作手段が操作されたときに、前記制御パターン選択手段により該可変表示領域について選択された制御パターンにおいて、該導出操作手段が操作された時点の前記未導出ステップ数から一意に特定される表示結果を当該可変表示領域の表示結果として導出させる制御を行うとともに、
前記制御パターン選択手段は、既に表示結果が導出された可変表示領域の表示結果が同一の場合であっても、該既に表示結果が導出された可変表示領域に対応する導出操作手段が操作された時点の前記既導出ステップ数が第１の既導出ステップ数である場合に、未だ表示結果が導出されていない可変表示領域について前記未導出ステップ数のうち特定の未導出ステップ数に対して特定の表示結果を特定する第１の制御パターンを選択し、該既に表示結果が導出された可変表示領域に対応する導出操作手段が操作された時点の前記既導出ステップ数が前記第１の既導出ステップ数とは異なる第２の既導出ステップ数である場合に、未だ表示結果が導出されていない可変表示領域について前記未導出ステップ数のうち前記特定の未導出ステップ数に対して前記特定の表示結果以外の表示結果を特定する第２の制御パターンを選択する異制御パターン選択手段を含む、
ことを特徴とするスロットマシン。
【手続補正２】
【補正対象書類名】特許請求の範囲
【補正対象項目名】請求項２
【補正方法】変更
【補正の内容】
【請求項２】
前記ステッピングモータのステップ数が或るステップ数から前記表示帯が１図柄分回動される範囲以内に前記第１の既導出ステップ数及び前記第２の既導出ステップ数の双方が位置する、
ことを特徴とする請求項１に記載のスロットマシン。
【手続補正３】
【補正対象書類名】特許請求の範囲
【補正対象項目名】請求項３
【補正方法】変更
【補正の内容】
【請求項３】
前記制御パターン選択手段は、
前記事前決定手段の決定結果が第１の決定結果であるときに、既に表示結果が導出された可変表示領域に対応する導出操作手段が操作された時点の既導出ステップ数であり、既に表示結果が導出された可変表示領域に同一の表示結果が特定される複数の既導出ステップ数のうち少なくとも１つの既導出ステップ数である前記第１の既導出ステップ数に対応して前記第１の制御パターンを選択し、前記同一の表示結果が特定される複数の既導出ステップ数のうち前記第１の既導出ステップ数とは異なる前記第２の既導出ステップ数に対応して前記第２の制御パターンを選択する第１の決定結果時制御パターン選択手段と、
前記事前決定手段の決定結果が前記第１の決定結果よりも遊技者にとって有利な第２の決定結果であるときに、前記同一の表示結果が特定される複数の既導出ステップ数のうち前記第１の決定結果であるときよりも多くの既導出ステップ数に対応して前記第１の制御パターンを選択する第２の決定結果時制御パターン選択手段と、
を含む、
ことを特徴とする請求項１または２に記載のスロットマシン。
【手続補正４】
【補正対象書類名】特許請求の範囲
【補正対象項目名】請求項４
【補正方法】変更
【補正の内容】
【請求項４】
前記第１の決定結果時制御パターン選択手段は、既に表示結果が導出された可変表示領域に対応する前記導出操作手段が操作された時点の前記既導出ステップ数が所定のステップ数から前記表示帯が１図柄分回動される範囲内にある前記第１の既導出ステップ数であるときに、前記第１の制御パターンを選択する、
ことを特徴とする請求項３に記載のスロットマシン。
【手続補正５】
【補正対象書類名】明細書
【補正対象項目名】０００８
【補正方法】変更
【補正の内容】
【０００８】
上記課題を解決するために、本発明の請求項１に記載のスロットマシンは、
各々が識別可能な複数種類の図柄が配置された表示帯をステッピングモータの駆動により回動させることで変動表示可能な複数の可変表示領域のそれぞれに表示結果を導出表示させることが可能な可変表示装置を備え、
遊技用価値を用いて１ゲームに対して所定数の賭数を設定することによりゲームが開始可能となるとともに、前記複数の可変表示領域の全てに表示結果が導出表示されたことにより１ゲームが終了し、前記複数の可変表示領域に導出表示された表示結果の組み合わせに応じて入賞が発生可能とされたスロットマシンであって、
前記複数の可変表示領域の表示結果を導出させる際に操作されるそれぞれの導出操作手段と、
少なくともいずれか１つの可変表示領域の表示結果が導出される前に入賞の発生を許容するか否かを決定する事前決定手段と、
前記導出操作手段が操作されたときに、該導出操作手段の操作に対応する可変表示領域の表示結果を導出させる制御を行う導出制御手段と、
を備え、
前記導出制御手段は、
前記複数の可変表示領域のうちいずれか１つの可変表示領域に既に表示結果が導出されており、他の可変表示領域に未だ表示結果が導出されていない状況において、未だ表示結果が導出されていない可変表示領域について、該可変表示領域に対応する導出操作手段が操作された時点の前記ステッピングモータのステップ数である未導出ステップ数に対して導出される表示結果を一意に特定する複数の制御パターンから、前記事前決定手段の決定結果、及び既に表示結果が導出された可変表示領域に対応する前記導出操作手段が操作された時点の前記ステッピングモータのステップ数である既導出ステップ数に対応する制御パターンを一意に選択する制御パターン選択手段を含み、
未だ表示結果が導出されていない可変表示領域に対応する導出操作手段が操作されたときに、前記制御パターン選択手段により該可変表示領域について選択された制御パターンにおいて、該導出操作手段が操作された時点の前記未導出ステップ数から一意に特定される表示結果を当該可変表示領域の表示結果として導出させる制御を行うとともに、
前記制御パターン選択手段は、既に表示結果が導出された可変表示領域の表示結果が同一の場合であっても、該既に表示結果が導出された可変表示領域に対応する導出操作手段が操作された時点の前記既導出ステップ数が第１の既導出ステップ数である場合に、未だ表示結果が導出されていない可変表示領域について前記未導出ステップ数のうち特定の未導出ステップ数に対して特定の表示結果を特定する第１の制御パターンを選択し、該既に表示結果が導出された可変表示領域に対応する導出操作手段が操作された時点の前記既導出ステップ数が前記第１の既導出ステップ数とは異なる第２の既導出ステップ数である場合に、未だ表示結果が導出されていない可変表示領域について前記未導出ステップ数のうち前記特定の未導出ステップ数に対して前記特定の表示結果以外の表示結果を特定する第２の制御パターンを選択する異制御パターン選択手段を含む、
ことを特徴としている。
この特徴によれば、複数の可変表示領域のうちいずれか１つの可変表示領域に既に表示結果が導出されており、他の可変表示領域に未だ表示結果が導出されていない状況において、未だ表示結果が導出されていない可変表示領域について、導出操作手段が操作された時点のステッピングモータのステップ数である未導出ステップ数に対して導出される表示結果を一意に特定する複数の制御パターンから、事前決定手段の決定結果、及び既に表示結果が導出された可変表示領域に対応する導出操作手段が操作された時点のステッピングモータのステップ数である既導出ステップ数に対応する制御パターンが一意に選択され、該当する可変表示領域に表示結果を導出させる制御が行われる。すなわち一の事前決定手段の決定結果、既に表示結果が導出された可変表示領域に対応する導出操作手段が操作された時点のステッピングモータの一の既導出ステップ数に対して適用される制御パターンが１つしかなく、複数の制御パターンからいずれか１つの制御パターンを更に選択する必要がなく、可変表示装置の表示結果を導出させる際の制御を複雑化することがない。
また、既に表示結果が導出された可変表示領域の表示結果に応じて、未だ表示結果が導出されていない可変表示領域の制御パターンが選択されるのではなく、既に表示結果が導出された可変表示領域に対応する導出操作手段が操作された時点のステッピングモータの一の既導出ステップ数に応じて、未だ表示結果が導出されていない可変表示領域の制御パターンが一意に選択されるとともに、既に表示結果が導出された可変表示領域の表示結果が同一の場合であっても、該既に表示結果が導出された可変表示領域に対応する導出操作手段が操作された時点のステッピングモータの既導出ステップ数が異なる場合には、未だ表示結果が導出されていない可変表示領域について異なる制御パターンを選択することが可能である。すなわち、導出済みの表示結果を導出させる際の導出操作手段が操作されたタイミングによって、未だ表示結果が導出されていない可変表示領域の制御パターンを変化させることができるので、従来のように導出済みの表示結果に応じて未だ表示結果が導出されていない可変表示領域の制御パターンを選択する場合よりも、可変表示装置の表示結果を多様化することができる。
尚、所定数の賭数とは、少なくとも１以上の賭数であって、２以上の賭数が設定されることや最大賭数が設定されることでゲームが開始可能となるようにしても良い。また、複数の遊技状態に応じて定められた賭数が設定されることでゲームが開始可能となるようにしても良い。
また、前記導出操作手段が操作された時点の前記ステッピングモータのステップ数である未導出ステップ数に対して導出される表示結果を一意に特定する制御パターンとは、前記導出操作手段が操作された時点の未導出ステップ数が同一の場合に、導出される表示結果として常に同一の表示結果が特定される制御パターンであり、例えば、個々のステップ数、または一定の範囲で連続するステップ数単位（例えば、１図柄が変動するのに要するステップ数など）、または当該ステップ数単位を識別可能な識別符号（例えば、図柄番号など）毎に、表示結果が導出されるまでの変動量が定められた変動量テーブルから、導出操作手段が操作された時点のステップ数に対して導出される表示結果を一意に特定する制御パターン、個々のステップ数、または一定の範囲で連続するステップ数単位、または当該ステップ数単位を識別可能な識別符号毎に、導出される表示結果の優先度が定められた優先テーブルから、導出操作手段が操作された時点の未導出ステップ数に対して導出される表示結果を一意に特定する制御パターンなどが該当する。また、導出操作手段が操作された時点の未導出ステップ数から、引込対象となる表示結果を予め定められた引込範囲内において最大限引き込む引込制御を行い、導出が禁止された表示結果とならないように、導出が禁止された表示結果以外の表示結果を引き込む蹴飛ばし制御を行うものにおいては、導出操作手段が操作された時点の未導出ステップ数から導出される表示結果が一意に特定されるものであれば、本発明の制御パターンに該当する。
また、前記事前決定手段の決定結果、及び既に表示結果が導出された可変表示領域に対応する前記導出操作手段が操作された時点の前記ステッピングモータのステップ数である既導出ステップ数に対応する制御パターンを一意に選択するとは、前記事前決定手段の決定結果が同一であり、かつ既に表示結果が導出された可変表示領域に対応する前記導出操作手段が操作された時点の前記ステッピングモータの既導出ステップ数が同一の場合に、常に同一の制御パターンを選択することであり、事前決定手段の決定結果が異なる場合や既に表示結果が導出された可変表示領域に対応する前記導出操作手段が操作された時点の前記ステッピングモータの既導出ステップ数が異なる場合に共通の制御パターンを選択することを妨げるものではない。
また、既に表示結果が導出された可変表示領域に対応する前記導出操作手段が操作された時点の前記ステッピングモータのステップ数である既導出ステップ数に対応する制御パターンを一意に選択するとは、既に表示結果が導出された可変表示領域に対応する前記導出操作手段が操作された時点の既導出ステップ数が同一の場合に、常に同一の制御パターンを選択することであり、例えば、個々のステップ数、または一定の範囲で連続するステップ数単位（例えば、１図柄が変動するのに要するステップ数など）、または当該ステップ数単位を識別可能な識別符号に対応する制御パターンを一意に選択するものであっても良い。
また、前記制御パターン選択手段は、前記複数の可変表示領域のうちいずれか１つの可変表示領域に既に表示結果が導出されており、他の可変表示領域に未だ表示結果が導出されていない状況において、未だ表示結果が導出されていない可変表示領域について、該可変表示領域に対応する導出操作手段が操作された時点の前記ステッピングモータのステップ数である未導出ステップ数に対して導出される表示結果を一意に特定する複数の制御パターンから、前記事前決定手段の決定結果、及び既に表示結果が導出された可変表示領域に対応する前記導出操作手段が操作された時点の前記ステッピングモータのステップ数である既導出ステップ数に対応する制御パターンを一意に選択するものであるが、前記制御パターン選択手段が、前記複数の可変表示領域のうちいずれか２つ以上の可変表示領域に既に表示結果が導出されており、他の可変表示領域に未だ表示結果が導出されていない状況において、未だ表示結果が導出されていない可変表示領域について、該可変表示領域に対応する導出操作手段が操作された時点の前記ステッピングモータの未導出ステップ数に対して導出される表示結果を一意に特定する複数の制御パターンから、前記事前決定手段の決定結果、及び既に表示結果が導出された２つ以上の可変表示領域に対応する前記導出操作手段が操作された時点の前記ステッピングモータの既導出ステップ数の組み合わせに対応する制御パターンを一意に選択するとともに、前記異制御パターン選択手段が、既に表示結果が導出された２つ以上の可変表示領域の表示結果が同一の場合であっても、該既に表示結果が導出された可変表示領域のうちの少なくとも１つの可変表示領域に対応する前記導出操作手段が操作された時点の前記ステッピングモータの既導出ステップ数が異なる場合に、未だ表示結果が導出されていない可変表示領域について異なる制御パターンを選択するようにしても良く、このようにした場合でも、導出済みの表示結果を導出させる際の導出操作手段が操作されたタイミングによって、未だ表示結果が導出されていない可変表示領域の制御パターンを変化させることができるので、従来のように導出済みの表示結果に応じて未だ表示結果が導出されていない可変表示領域の制御パターンを選択する場合よりも、可変表示装置の表示結果を多様化することができる。
また、前記制御パターン選択手段が、前記複数の可変表示領域のうちいずれか２つ以上の可変表示領域に既に表示結果が導出されており、他の可変表示領域に未だ表示結果が導出されていない状況において、未だ表示結果が導出されていない可変表示領域について、前記複数の制御パターンから、前記事前決定手段の決定結果、及び既に表示結果が導出された可変表示領域のうちの少なくとも１つの可変表示領域に対応する前記導出操作手段が操作された時点の前記ステッピングモータの既導出ステップ数、及び既に表示結果が導出された可変表示領域のうちの他の可変表示領域に導出された表示結果に対応する制御パターンを一意に選択するとともに、前記異制御パターン選択手段が、既に表示結果が導出された２つ以上の可変表示領域の表示結果が同一の場合であっても、該既に表示結果が導出された可変表示領域のうちの少なくとも１つの可変表示領域に対応する前記導出操作手段が操作された時点の前記ステッピングモータの既導出ステップ数が異なる場合に、未だ表示結果が導出されていない可変表示領域について異なる制御パターンを選択するようにしても良く、このようにした場合でも、導出済みの表示結果を導出させる際の導出操作手段が操作されたタイミングによって、未だ表示結果が導出されていない可変表示領域の制御パターンを変化させることができるので、従来のように導出済みの表示結果に応じて未だ表示結果が導出されていない可変表示領域の制御パターンを選択する場合よりも、可変表示装置の表示結果を多様化することができる。
また、特定の表示結果とは、いずれか１つの可変表示領域に導出される表示結果であっても良いし、既に表示結果が導出された可変表示領域の表示結果との組み合わせによって特定の組み合わせが構成されることとなる表示結果であっても良い。
【手続補正６】
【補正対象書類名】明細書
【補正対象項目名】０００９
【補正方法】変更
【補正の内容】
【０００９】
本発明の請求項２に記載のスロットマシンは、請求項１に記載のスロットマシンであって、
前記ステッピングモータのステップ数が或るステップ数から前記表示帯が１図柄分回動される範囲以内に前記第１の既導出ステップ数及び前記第２の既導出ステップ数の双方が位置する、
ことを特徴としている。
この特徴によれば、既に表示結果が導出された可変表示領域の表示結果が同一であり、該既に表示結果が導出された可変表示領域に対応する導出操作手段が或るステップ数から１図柄が変動する範囲以内のタイミングで操作された場合に、他の可変表示領域における制御パターンを変化させることができるため、可変表示装置の表示結果をより一層多様化することができる。
尚、或るステップ数とは、前記表示帯の或る図柄が前記可変表示装置または前記可変表示領域の基準となる位置に表示されているときのステップ数であり、或るステップ数から前記表示帯が１図柄分回動される範囲内にある異なるステップ数とは、前記表示対の或る図柄に続いて配置された図柄が前記基準となる位置に表示されるまでの範囲内にある異なるステップ数である。
また、前記制御パターン選択手段が、前記複数の可変表示領域のうちいずれか２つ以上の可変表示領域に既に表示結果が導出されており、他の可変表示領域に未だ表示結果が導出されていない状況において、未だ表示結果が導出されていない可変表示領域について、前記複数の制御パターンから、前記事前決定手段の決定結果、及び既に表示結果が導出された２つ以上の可変表示領域に対応する前記導出操作手段が操作された時点の前記ステッピングモータの既導出ステップ数の組み合わせに対応する制御パターンを一意に選択する場合や、前記事前決定手段の決定結果、及び既に表示結果が導出された可変表示領域のうちの少なくとも１つの可変表示領域に対応する前記導出操作手段が操作された時点の前記ステッピングモータの既導出ステップ数、及び既に表示結果が導出された可変表示領域のうちの他の可変表示領域に導出された表示結果に対応する制御パターンを一意に選択する場合には、前記異制御パターン選択手段が、既に表示結果が導出された２つ以上の可変表示領域の表示結果が同一であり、該既に表示結果が導出された２つ以上の可変表示領域のうち少なくともいずれか１つの可変表示領域に対応する前記導出操作手段が操作された時点の前記ステッピングモータの既導出ステップ数が或るステップ数から前記表示帯が１図柄分回動される範囲以内にある異なるステップ数である場合に、未だ表示結果が導出されていない可変表示領域について異なる制御パターンを選択するようにしても良い。そして、このようにした場合でも、既に表示結果が導出された可変表示領域の表示結果が同一であり、該既に表示結果が導出された可変表示領域に対応する導出操作手段が或るステップ数から１図柄が変動する範囲以内のタイミングで操作された場合に、他の可変表示領域における制御パターンを変化させることができるため、可変表示装置の表示結果をより一層多様化することができる。
【手続補正７】
【補正対象書類名】明細書
【補正対象項目名】００１０
【補正方法】変更
【補正の内容】
【００１０】
本発明の請求項３に記載のスロットマシンは、請求項１または２に記載のスロットマシンであって、
前記制御パターン選択手段は、
前記事前決定手段の決定結果が第１の決定結果であるときに、既に表示結果が導出された可変表示領域に対応する導出操作手段が操作された時点の既導出ステップ数であり、既に表示結果が導出された可変表示領域に同一の表示結果が特定される複数の既導出ステップ数のうち少なくとも１つの既導出ステップ数である前記第１の既導出ステップ数に対応して前記第１の制御パターンを選択し、前記同一の表示結果が特定される複数の既導出ステップ数のうち前記第１の既導出ステップ数とは異なる前記第２の既導出ステップ数に対応して前記第２の制御パターンを選択する第１の決定結果時制御パターン選択手段と、
前記事前決定手段の決定結果が前記第１の決定結果よりも遊技者にとって有利な第２の決定結果であるときに、前記同一の表示結果が特定される複数の既導出ステップ数のうち前記第１の決定結果であるときよりも多くの既導出ステップ数に対応して前記第１の制御パターンを選択する第２の決定結果時制御パターン選択手段と、
を含む、
ことを特徴としている。
この特徴によれば、事前決定手段の決定結果が第２の決定結果であるときには、複数の可変表示領域のうち少なくともいずれか１つの可変表示領域に既に表示結果が導出されており、他の可変表示領域に未だ表示結果が導出されていない状況において、既に表示結果が導出された可変表示領域に同一の表示結果が特定される複数の既導出ステップ数のうち第１の決定結果であるときよりも多くの既導出ステップ数に対応して第１の制御パターンが選択されるので、事前決定手段の決定結果が第２の決定結果であるときの方が、第１の決定結果であるときよりも高い割合で特定の表示結果が導出されることとなり、特定の表示結果が導出されることにより、事前決定手段の決定結果が第１の決定結果よりも遊技者にとって有利な第２の決定結果であることに対する遊技者の期待感を高めることができる。
尚、前記第１の決定結果よりも遊技者にとって有利な第２の決定結果とは、第１の決定結果よりも多くの遊技用価値の獲得が期待できる決定結果であり、例えば、第１の決定結果としては、多くの遊技用価値の獲得が期待できる遊技状態への移行を伴う特別入賞の発生が許容されいない旨を示す結果などが該当し、第２の決定結果としては、前述の特別入賞の発生が許容されている旨を示す結果などが該当する。また、第１の決定結果として、第１の量の遊技用価値の獲得が期待できる遊技状態への移行を伴う第１の特別入賞の発生が許容されている旨を示す結果を適用し、第２の決定結果として、第１の量よりも多い第２の量の遊技用価値の獲得が期待できる遊技状態への移行を伴う第２の特別入賞の発生が許容されている旨を示す結果を適用しても良い。
また、前記第１の決定結果時制御パターン選択手段及び前記第２の決定結果時制御パターン選択手段は、未だ表示結果が導出されていない可変表示領域のうちいずれか１つの可変表示領域についてのみ前記第１の制御パターンを選択するものや、未だ表示結果が導出されていない可変表示領域のうちいずれか２つ以上の可変表示領域について前記第１の制御パターンを選択するもの、未だ表示結果が導出されていない可変表示領域の全てについて前記第１の制御パターンを選択するものであっても良く、更には、既に表示結果が導出された可変表示領域が特定の可変表示領域であること、または既に表示結果が導出された可変表示領域の表示結果が特定の順番で導出されたことを条件に、未だ表示結果が導出されていない可変表示領域について、前記第１の制御パターンを選択するものであっても良い。
また、前記第２の決定結果時制御パターン選択手段は、前記同一の表示結果が特定される複数のステップ数のうち前記第１の決定結果であるときよりも多くの既導出ステップ数に対応して前記第１の制御パターンを選択し、前記同一の表示結果が特定される複数の既導出ステップ数のうち他の既導出ステップ数に対応して前記第２の制御パターンを選択するようにしても良いし、前記同一の表示結果が特定される複数の既導出ステップ数の全てに対応して前記第１の制御パターンを選択するようにしても良い。
また、前記制御パターン選択手段が、前記複数の可変表示領域のうちいずれか２つ以上の可変表示領域に既に表示結果が導出されており、他の可変表示領域に未だ表示結果が導出されていない状況において、未だ表示結果が導出されていない可変表示領域について、前記複数の制御パターンから、前記事前決定手段の決定結果、及び既に表示結果が導出された２つ以上の可変表示領域に対応する前記導出操作手段が操作された時点の前記ステッピングモータの既導出ステップ数の組み合わせに対応する制御パターンを一意に選択する場合や、前記事前決定手段の決定結果、及び既に表示結果が導出された可変表示領域のうちの少なくとも１つの可変表示領域に対応する前記導出操作手段が操作された時点の前記ステッピングモータの既導出ステップ数、及び既に表示結果が導出された可変表示領域のうちの他の可変表示領域に導出された表示結果に対応する制御パターンを一意に選択する場合には、前記第１の決定結果時制御パターン選択手段が、前記事前決定手段の決定結果が第１の決定結果であるときに、既に表示結果が導出された２つ以上の可変表示領域のうち少なくともいずれか１つの可変表示領域に対応する導出操作手段が操作された時点の既導出ステップ数であり、該可変表示領域に同一の表示結果が特定される複数の既導出ステップ数のうち少なくとも１つの既導出ステップ数である前記第１の既導出ステップ数に対応して前記第１の制御パターンを選択し、前記同一の表示結果が特定される複数の既導出ステップ数のうち前記第１の既導出ステップ数とは異なる前記第２の既導出ステップ数に対応して前記第２の制御パターンを選択するとともに、前記第２の決定結果時制御パターン選択手段が、前記事前決定手段の決定結果が前記第１の決定結果よりも遊技者にとって有利な第２の決定結果であるときに、前記同一の表示結果が特定される複数の既導出ステップ数のうち前記第１の決定結果であるときよりも多くの既導出ステップ数に対応して前記第１の制御パターンを選択するようにしても良い。そして、このようにした場合でも、事前決定手段の決定結果が第２の決定結果であるときの方が、第１の決定結果であるときよりも高い割合で特定の表示結果が導出されることとなり、特定の表示結果が導出されることにより、事前決定手段の決定結果が第１の決定結果よりも遊技者にとって有利な第２
の決定結果であることに対する遊技者の期待感を高めることができる。
【手続補正８】
【補正対象書類名】明細書
【補正対象項目名】００１１
【補正方法】変更
【補正の内容】
【００１１】
本発明の請求項４に記載のスロットマシンは、請求項３に記載のスロットマシンであって、
前記第１の決定結果時制御パターン選択手段は、既に表示結果が導出された可変表示領域に対応する前記導出操作手段が操作された時点の前記既導出ステップ数が所定のステップ数から前記表示帯が１図柄分回動される範囲内にある前記第１の既導出ステップ数であるときに、前記第１の制御パターンを選択する、
ことを特徴としている。
この特徴によれば、既に表示結果が導出された可変表示領域に対応する導出操作手段が操作された時点のステッピングモータの既導出ステップ数が所定のステップ数から表示帯が１図柄分回動される範囲内にある既導出ステップ数でなければ、未だ表示結果が導出されていない可変表示領域に特定の表示結果が導出されることがないので、特定の表示結果が導出される割合を更に低くすることが可能となり、特定の表示結果が導出されたときに、事前決定手段の決定結果が第２の決定結果である可能性がより一層高まるので、特定の表示結果が導出されることによって、事前決定手段の決定結果が第１の決定結果よりも遊技者にとって有利な第２の決定結果であることに対する遊技者の期待感を更に効果的に高めることができる。
尚、前記制御パターン選択手段が、前記複数の可変表示領域のうちいずれか２つ以上の可変表示領域に既に表示結果が導出されており、他の可変表示領域に未だ表示結果が導出されていない状況において、未だ表示結果が導出されていない可変表示領域について、前記複数の制御パターンから、前記事前決定手段の決定結果、及び既に表示結果が導出された２つ以上の可変表示領域に対応する前記導出操作手段が操作された時点の前記ステッピングモータの既導出ステップ数の組み合わせに対応する制御パターンを一意に選択する場合や、前記事前決定手段の決定結果、及び既に表示結果が導出された可変表示領域のうちの少なくとも１つの可変表示領域に対応する前記導出操作手段が操作された時点の前記ステッピングモータの既導出ステップ数、及び既に表示結果が導出された可変表示領域のうちの他の可変表示領域に導出された表示結果に対応する制御パターンを一意に選択する場合には、前記第１の決定結果時制御パターン選択手段が、既に表示結果が導出された２つ以上の可変表示領域の表示結果が同一であっても、該既に表示結果が導出された２つ以上の可変表示領域のうち少なくともいずれか１つの可変表示領域に対応する前記導出操作手段が操作された時点の前記ステッピングモータの既導出ステップ数が該同一の表示結果が特定される既導出ステップ数のうち所定のステップ数から前記表示帯が１図柄分回動される範囲内にある前記第１の既導出ステップ数であるときに、未だ表示結果が導出されていない可変表示領域について前記第１の制御パターンを選択するようにしても良い。そして、このようにした場合でも、特定の表示結果が導出される割合を更に低くすることが可能となり、特定の表示結果が導出されたときに、事前決定手段の決定結果が第２の決定結果である可能性がより一層高まるので、特定の表示結果が導出されることによって、事前決定手段の決定結果が第１の決定結果よりも遊技者にとって有利な第２の決定結果であることに対する遊技者の期待感を更に効果的に高めることができる。
【手続補正９】
【補正対象書類名】明細書
【補正対象項目名】００１２
【補正方法】変更
【補正の内容】
【００１２】
本発明の請求項５に記載のスロットマシンは、請求項１〜４のいずれかに記載のスロットマシンであって、
前記複数の可変表示領域全てに未だ表示結果が導出されていない状況において、いずれか１つの可変表示領域に対応する導出操作手段が操作されたときに、複数種類の演出パターンのうちいずれか１つの演出パターンを選択する演出パターン選択手段と、
前記演出パターン選択手段により選択された演出パターンに基づいて演出を実行する演出実行手段と、
を備え、
前記演出パターン選択手段は、前記導出操作手段が操作された時点の前記ステップ数が異なるステップ数であるが、同一の表示結果が特定されるときに、当該導出操作手段が操作された時点のステップ数に対応する割合で前記演出パターンを選択する、
ことを特徴としている。
この特徴によれば、複数の可変表示領域全てに未だ表示結果が導出されていない状況において、いずれか１つの可変表示領域に対応する導出操作手段が操作され、表示結果が導出されたときに、当該導出操作手段が操作された時点のステップ数に応じて演出をを変化させることができるので、例えば、既に導出された表示結果が同一の場合であっても、当該表示結果を導出させるための導出操作手段が操作された時点の既導出ステップ数に応じて他の可変表示領域の制御パターンが変化する場合には、その制御パターンに応じて演出を変化させることができる。すなわち可変表示装置の制御に合った演出を行うことができる。
尚、前記演出実行手段は、演出パターン選択手段により選択された演出パターンに基づく演出を、該演出パターンが選択されたとき以降に実行するものであれば良く、例えば、該演出パターンが選択される契機となった導出操作手段の操作がなされ、該導出操作手段に対応する可変表示領域に表示結果が導出されたときに実行するものや、その後他の可変表示領域に表示結果が導出されたときに実行するものであっても良い。
また、前記制御パターン選択手段が、前記複数の可変表示領域のうちいずれか２つ以上の可変表示領域に既に表示結果が導出されており、他の可変表示領域に未だ表示結果が導出されていない状況において、未だ表示結果が導出されていない可変表示領域について、前記複数の制御パターンから、前記事前決定手段の決定結果、及び既に表示結果が導出された２つ以上の可変表示領域に対応する前記導出操作手段が操作された時点の前記ステッピングモータの既導出ステップ数の組み合わせに対応する制御パターンを一意に選択する場合や、前記事前決定手段の決定結果、及び既に表示結果が導出された可変表示領域のうちの少なくとも１つの可変表示領域に対応する前記導出操作手段が操作された時点の前記ステッピングモータの既導出ステップ数、及び既に表示結果が導出された可変表示領域のうちの他の可変表示領域に導出された表示結果に対応する制御パターンを一意に選択する場合には、前記演出パターン選択手段が、前記複数の可変表示領域のうち２つ以上の可変表示領域に未だ表示結果が導出されていない状況において、いずれか１つの可変表示領域に対応する導出操作手段が操作され、表示結果が導出されるときに、当該導出操作手段が操作された時点のステップ数に対応する割合で前記演出パターン演出を選択するようにしても良く、このようにした場合にも、複数の可変表示領域のうち２つ以上の可変表示領域に未だ表示結果が導出されていない状況において、いずれか１つの可変表示領域に対応する導出操作手段が操作され、表示結果が導出されたときに、当該導出操作手段が操作された時点のステップ数に応じて演出をを変化させることができるので、例えば、既に導出された２以上の表示結果が同一の場合であっても、当該表示結果を導出させるための導出操作手段が操作された時点の既導出ステップ数に応じて他の可変表示領域の制御パターンが変化する場合には、その制御パターンに応じて演出を変化させることができる。すなわち可変表示装置の制御に合った演出を行うことができる。
【手続補正１０】
【補正対象書類名】明細書
【補正対象項目名】０４６１
【補正方法】変更
【補正の内容】
【０４６１】
本発明の請求項１に記載のスロットマシンは、
各々が識別可能な複数種類の図柄が配置された表示帯（リール２Ｌ、２Ｃ、２Ｒ）をステッピングモータ（３２Ｌ、３２Ｃ、３２Ｒ）の駆動により回動させることで変動表示可能な複数の可変表示領域（左リール、中リール、右リール）のそれぞれに表示結果を導出表示させることが可能な可変表示装置を備え、
遊技用価値（メダル）を用いて１ゲームに対して所定数の賭数を設定することによりゲームが開始可能となるとともに、前記複数の可変表示領域の全てに表示結果が導出表示されたことにより１ゲームが終了し、前記複数の可変表示領域に導出表示された表示結果の組み合わせに応じて入賞が発生可能とされたスロットマシン（スロットマシン１）であって、
前記複数の可変表示領域の表示結果を導出させる際に操作されるそれぞれの導出操作手段（ストップスイッチ８Ｌ、８Ｃ、８Ｒ）と、
少なくともいずれか１つの可変表示領域の表示結果が導出される前に入賞の発生を許容するか否かを決定する事前決定手段（ＣＰＵ４１ａによる内部抽選）と、
前記導出操作手段が操作されたときに、該導出操作手段の操作に対応する可変表示領域の表示結果を導出させる制御を行う導出制御手段（ＣＰＵ４１ａによるリールの停止制御）と、
を備え、
前記導出制御手段は、
前記複数の可変表示領域のうちいずれか１つの可変表示領域に既に表示結果が導出されており、他の可変表示領域に未だ表示結果が導出されていない状況において、未だ表示結果が導出されていない可変表示領域について、該可変表示領域に対応する導出操作手段が操作された時点の前記ステッピングモータのステップ数（１／２図柄分のステップ数毎に割り当てられた領域番号）である未導出ステップ数に対して導出される表示結果（停止位置）を一意に特定する複数の制御パターン（停止制御テーブルによるリールの停止制御）から、前記事前決定手段の決定結果（内部抽選の結果）、及び既に表示結果が導出された可変表示領域に対応する前記導出操作手段が操作された時点の前記ステッピングモータのステップ数（停止操作位置）である既導出ステップ数に対応する制御パターンを一意に選択する制御パターン選択手段（いずれか１つのリールが停止したときに他のリールに対応するデータ作成用テーブルを選択し、選択したデータ作成用テーブルから変動中のリールに対応する停止制御テーブルを作成する処理）を含み、
未だ表示結果が導出されていない可変表示領域に対応する導出操作手段が操作されたときに、前記制御パターン選択手段により該可変表示領域について選択された制御パターンにおいて、該導出操作手段が操作された時点の前記未導出ステップ数から一意に特定される表示結果を当該可変表示領域の表示結果として導出させる制御（停止制御テーブルを参照して停止操作位置に対応する停止位置でリールを停止させる制御）を行うとともに、
前記制御パターン選択手段は、既に表示結果が導出された可変表示領域の表示結果が同一の場合（左リールの下段または中段に「スイカ」図柄が停止した場合）であっても、該既に表示結果が導出された可変表示領域（左リール）に対応する導出操作手段（ストップスイッチ８Ｌ）が操作された時点の前記既導出ステップ数が第１の既導出ステップ数（領域番号１７、１９、２１、２３の領域）である場合に、未だ表示結果が導出されていない可変表示領域（中リール）について前記未導出ステップ数のうち特定の未導出ステップ数（領域番号４、５、１２、１３、２０、２１、２３、３４〜３９、４１）に対して特定の表示結果（「スイカ」が中段に停止する表示結果）を特定する第１の制御パターン（停止制御テーブル）を選択し、該既に表示結果が導出された可変表示領域（左リール）に対応する導出操作手段（ストップスイッチ８Ｌ）が操作された時点の前記既導出ステップ数が前記第１の既導出ステップ数とは異なる第２の既導出ステップ数（領域番号１６、１８、２０、２２の領域）である場合に、未だ表示結果が導出されていない可変表示領域（中リール）について前記未導出ステップ数のうち前記特定の未導出ステップ数（領域番号４、５、１２、１３、２０、２１、２３、３４〜３９、４１）に対して前記特定の表示結果（「スイカ」が中段に停止する表示結果）以外の表示結果を特定する第２の制御パターン（停止制御テーブル）を選択する異制御パターン選択手段（通常遊技状態においていずれの役にも当選していない場合に、領域番号１６〜２３のいずれの領域で左リールの停止操作が行われた場合でも、左リールの下段または中段に「スイカ」図柄が停止するが、これらのうち領域番号１７、１９、２１、２３の領域で左リールの停止操作が行われた場合には、中リールの停止制御テーブルとしてチャンス目を導出可能な停止制御テーブルを選択し、領域番号１６、１８、２０、２２の領域で左リールの停止操作が行われた場合には、中リールの停止制御テーブルとしてチャンス目が導出されない停止制御テーブルを選択する）を含む、
ことを特徴としている。
【手続補正１１】
【補正対象書類名】明細書
【補正対象項目名】０４６２
【補正方法】変更
【補正の内容】
【０４６２】
本発明の請求項２に記載のスロットマシンは、請求項１に記載のスロットマシンであって、
前記ステッピングモータのステップ数が或るステップ数から前記表示帯が１図柄分回動される範囲以内に前記第１の既導出ステップ数（領域番号１７、１９、２１、２３の領域）及び前記第２の既導出ステップ数（領域番号１６、１８、２０、２２の領域）の双方が位置する（例えば、通常遊技状態においていずれの役にも当選していない場合に、領域番号１６、１７のいずれの領域で左リールの停止操作が行われた場合でも、左リールの下段に「スイカ」図柄が停止するが、これらのうち領域番号１７の領域で左リールの停止操作が行われた場合には、中リールの停止制御テーブルとしてチャンス目の構成図柄が特定される停止操作位置を有する停止制御テーブルを選択し、領域番号１６の領域で左リールの停止操作が行われた場合には、中リールの停止制御テーブルとしてチャンス目の構成図柄が特定される停止操作位置を有しない停止制御テーブルを選択する）、
ことを特徴としている。
【手続補正１２】
【補正対象書類名】明細書
【補正対象項目名】０４６３
【補正方法】変更
【補正の内容】
【０４６３】
本発明の請求項３に記載のスロットマシンは、請求項１または２に記載のスロットマシンであって、
前記制御パターン選択手段は、
前記事前決定手段（ＣＰＵ４１ａによる内部抽選）の決定結果が第１の決定結果であるとき（いずれの役も当選していないとき）に、既に表示結果が導出された可変表示領域（左リール）に対応する導出操作手段（ストップスイッチ）が操作された時点の既導出ステップ数であり、既に表示結果が導出された可変表示領域に同一の表示結果が特定される複数の既導出ステップ数（例えば、領域番号１６、１７のステップ数）のうち少なくとも１つの既導出ステップ数である前記第１の既導出ステップ数（領域番号１７のステップ数）に対応して前記第１の制御パターンを選択し、前記同一の表示結果が特定される複数の既導出ステップ数のうち前記第１の既導出ステップ数とは異なる前記第２の既導出ステップ数（領域番号１６のステップ数）に対応して前記第２の制御パターンを選択する第１の決定結果時制御パターン選択手段（通常遊技状態においていずれの役も当選していないときに、領域番号１６、１７のいずれの領域で左リールの停止操作が行われても下段に「スイカ」図柄が停止するが、領域番号１７の領域で左リールの停止操作が行われたときには、中リールの停止制御テーブルとしてチャンス目の構成図柄が特定される停止操作位置を有する停止制御テーブルを選択し、領域番号１６の領域で左リールの停止操作が行われたときには、中リールの停止制御テーブルとしてチャンス目の構成図柄が特定される停止操作位置を有しない停止制御テーブルを選択する）と、
前記事前決定手段の決定結果が前記第１の決定結果よりも遊技者にとって有利な第２の決定結果であるとき（例えば、通常遊技状態においてビッグボーナス（１）に当選し、かつ他の役に当選していないとき）に、前記同一の表示結果が特定される複数の既導出ステップ数（例えば、領域番号１６、１７のステップ数）のうち前記第１の決定結果であるときよりも多くの既導出ステップ数（領域番号１６、１７）に対応して前記第１の制御パターンを選択する第２の決定結果時制御パターン選択手段（通常遊技状態においてビッグボーナス（１）に当選し、かつ他の役に当選していないときに、領域番号１６、１７のいずれの領域で左リールの停止操作が行われても下段に「スイカ」図柄が停止するとともに、領域番号１６の領域で左リールの停止操作が行われても、領域番号１７の領域で左リールの停止操作が行われても、中リールの停止制御テーブルとしてチャンス目の構成図柄が特定される停止操作位置を有する停止制御テーブルを選択する）と、
を含む、
ことを特徴としている。
【手続補正１３】
【補正対象書類名】明細書
【補正対象項目名】０４６４
【補正方法】変更
【補正の内容】
【０４６４】
本発明の請求項４に記載のスロットマシンは、請求項３に記載のスロットマシンであって、
前記第１の決定結果時制御パターン選択手段は、既に表示結果が導出された可変表示領域（左リール）に対応する前記導出操作手段（ストップスイッチ）が操作された時点の前記既導出ステップ数が所定のステップ数から前記表示帯が１図柄分回動される範囲内にある前記第１の既導出ステップ数（領域番号１７、１９、２１、２３の領域）であるときに、前記第１の制御パターン（チャンス目の構成図柄が特定される停止操作位置を有する停止制御テーブル）を選択する、
ことを特徴としている。